(57)【要約】  本発明は、端末、および端末のアクセス失敗後の処理方法を提供する。方法は、端末によって、第1のセルとのRRC接続を確立するステップであって、第1のセルが、端末によって選択されたPLMNを含むセルである、ステップと、端末が第1のセルとのRRC接続を確立することに失敗するとき、端末によって、アクセス失敗PLMNリストを記録するステップであって、アクセス失敗PLMNリストが、端末によって選択されたPLMNを含む、ステップとを含む。本発明の実施形態によれば、記録の正確性が実現される可能性があり、それによって、正しいPLMNに報告する。
2015502124.tif 000002
【特許請求の範囲】
【請求項１】
端末のアクセス失敗後の処理方法であって、
端末によって、第1のセルとの無線リソース制御RRC接続を確立するステップであって、前記第1のセルが、前記端末によって選択された公衆陸上モバイルネットワークPLMNを含むセルである、ステップと、
前記端末が前記第1のセルとの前記RRC接続を確立することに失敗するとき、アクセス失敗PLMNリストを記録するステップであって、前記アクセス失敗PLMNリストが、前記端末によって選択された前記PLMNを含む、ステップとを含む、方法。
【請求項２】
前記アクセス失敗PLMNリストが、
前記端末によって選択された前記PLMNに対応する第1の等価公衆陸上モバイルネットワークEPLMNであって、前記RRC接続が確立されることに失敗する前に前記端末によって選択された前記PLMNのEPLMNである、第1のEPLMN、または
前記端末によって選択された前記PLMNに対応する第2のEPLMNであって、前記端末が前記第1のセルに再び正常にアクセスした後にEPLMNの更新を経る前記端末によって選択された前記PLMNのEPLMNである、第2のEPLMNをさらに含む請求項1に記載の方法。
【請求項３】
前記アクセス失敗PLMNリストが、前記端末によって選択された前記PLMNだけを含み、前記方法が、前記端末によって、指示情報を取得するステップであって、前記指示情報が、前記端末によって選択された前記PLMNがアクセスの失敗が発生するときに記録されることを示すために使用される、ステップをさらに含み、
前記アクセス失敗PLMNリストを記録する前記ステップが、前記指示情報にしたがって、前記端末によって選択された前記PLMNを前記アクセス失敗PLMNリストに記録するステップを含む請求項1に記載の方法。
【請求項４】
前記端末によって、記録されたアクセス失敗PLMNリストが前記端末が第2のセルにアクセスするときの前記端末の登録公衆陸上モバイルネットワークRPLMNを含むかどうかを判定し、含む場合に、記録されたデータが利用可能であることを示す指示情報、もしくは記録レポートを前記第2のセルに報告するステップ、または
前記端末によって、前記記録されたアクセス失敗PLMNリストが第2のセルのPPLMNの識別子を含むかどうかを判定し、含む場合に、前記記録されたデータが利用可能であることを示す指示情報、もしくは記録レポートを前記第2のセルに報告するステップ、または
前記端末によって、前記記録されたアクセス失敗PLMNリストが第2のセルによってブロードキャストされたPLMNリストのいずれかの項目と同じであるかどうかを判定し、同じである場合に、前記記録されたデータが利用可能であることを示す指示情報、もしくは記録レポートを前記第2のセルに報告するステップをさらに含み、
前記第2のセルが、前記端末がRRC接続を確立したセル、または前記端末がハンドオーバされたセルである請求項1から3のいずれか一項に記載の方法。
【請求項５】
第1のセルとの無線リソース制御RRC接続を確立するように構成された確立モジュールであって、前記第1のセルが、端末によって選択された公衆陸上モバイルネットワークPLMNを含むセルである、確立モジュールと、
前記第1のセルとの前記RRC接続が確立されることに失敗するときにアクセス失敗PLMNリストを記録するように構成された記録モジュールであって、前記アクセス失敗PLMNリストが、端末によって選択された前記PLMNを含む、記録モジュールとを含む端末。
【請求項６】
前記記録モジュールによって記録される前記アクセス失敗リストが、
前記端末によって選択された前記PLMNに対応する第1の等価公衆陸上モバイルネットワークEPLMNであって、前記RRC接続が確立されることに失敗する前に前記端末によって選択された前記PLMNのEPLMNである、第1のEPLMN、または
前記端末によって選択された前記PLMNに対応する第2のEPLMNであって、前記端末が前記第1のセルに再び正常にアクセスした後にEPLMNの更新を経る前記端末によって選択された前記PLMNのEPLMNである、第2のEPLMNをさらに含む請求項5に記載の端末。
【請求項７】
前記アクセス失敗PLMNリストが、前記端末によって選択された前記PLMNだけを含み、前記端末が、指示情報を取得するように構成された取得モジュールであって、前記指示情報が、前記端末によって選択された前記PLMNがアクセスの失敗が発生するときに記録されることを示すために使用される、取得モジュールをさらに含み、
前記記録モジュールが、前記指示情報にしたがって、前記端末によって選択された前記PLMNを前記アクセス失敗PLMNリストに記録するように特に構成される請求項5に記載の端末。
【請求項８】
記録されたアクセス失敗PLMNリストが前記端末が第2のセルにアクセスするときの前記端末の登録公衆陸上モバイルネットワークRPLMNを含むかどうかを判定し、含む場合に、記録されたデータが利用可能であることを示す指示情報、もしくは記録レポートを前記第2のセルに報告するか、または前記記録されたアクセス失敗PLMNリストが第2のセルのPPLMNの識別子を含むかどうかを判定し、含む場合に、前記記録されたデータが利用可能であることを示す指示情報、もしくは記録レポートを前記第2のセルに報告するか、または前記記録されたアクセス失敗PLMNリストが第2のセルによってブロードキャストされたPLMNリストのいずれかの項目と同じであるかどうかを判定し、同じである場合に、前記記録されたデータが利用可能であることを示す指示情報、もしくは記録レポートを前記第2のセルに報告するように構成された報告モジュールをさらに含み、
前記第2のセルが、前記端末がRRC接続を確立したセル、または前記端末がハンドオーバされたセルである請求項5から7のいずれか一項に記載の端末。
【請求項９】
第1のセルとの無線リソース制御RRC接続を確立し、前記第1のセルとの前記RRC接続を確立することに失敗するとき、アクセス失敗公衆陸上モバイルネットワークPLMNリストを記録するように構成されたプロセッサであって、前記アクセス失敗PLMNリストが、端末によって選択されたPLMNを含み、前記第1のセルが、端末によって選択された前記PLMNを含むセルである、プロセッサと、
前記アクセス失敗PLMNリストを記録するように構成されたメモリとを含む端末。
【請求項１０】
前記プロセッサによって記録される前記アクセス失敗PLMNリストが、
前記端末によって選択された前記PLMNに対応する第1の等価公衆陸上モバイルネットワークEPLMNであって、前記RRC接続が確立されることに失敗する前に前記端末によって選択された前記PLMNのEPLMNである、第1のEPLMN、または
前記端末によって選択された前記PLMNに対応する第2のEPLMNであって、前記端末が前記第1のセルに再び正常にアクセスした後にEPLMNの更新を経る前記端末によって選択された前記PLMNのEPLMNである、第2のEPLMNをさらに含む請求項9に記載の端末。
【請求項１１】
前記アクセス失敗PLMNリストが、前記端末によって選択された前記PLMNだけを含み、前記端末が、
指示情報を受信するように構成されたワイヤレストランシーバであって、前記指示情報が、前記端末によって選択された前記PLMNがアクセスの失敗が発生するときに記録されることを示すために使用される、ワイヤレストランシーバをさらに含み、
前記プロセッサが、前記第1のセルとの前記RRC接続を確立し、前記第1のセルとの前記RRC接続を確立することに失敗するときに、前記指示情報にしたがって、前記端末によって選択された前記PLMNを前記アクセス失敗PLMNリストに記録するように特に構成される請求項9に記載の端末。
【請求項１２】
前記プロセッサが、記録されたアクセス失敗PLMNリストが前記端末が第2のセルにアクセスするときの前記端末のRPLMNを含むかどうかを判定するようにさらに構成され、前記プロセッサによって取得された判定結果が真であるとき、前記ワイヤレストランシーバが、記録されたデータが利用可能であることを示す指示情報、もしくは記録レポートを前記第2のセルに報告するためにさらに使用され、または
前記プロセッサが、前記記録されたアクセス失敗PLMNリストが前記第2のセルのPPLMNの識別子を含むかどうかを判定するようにさらに構成され、前記プロセッサによって取得された判定結果が真であるとき、前記ワイヤレストランシーバが、前記記録されたデータが利用可能であることを示す指示情報、もしくは記録レポートを前記第2のセルに報告するためにさらに使用され、または
前記プロセッサが、前記記録されたアクセス失敗PLMNリストが第2のセルによってブロードキャストされたPLMNリストのいずれかの項目と同じであるかどうかを判定するようにさらに構成され、前記プロセッサによって取得された判定結果が真であるとき、前記ワイヤレストランシーバが、前記記録されたデータが利用可能であることを示す指示情報、もしくは記録レポートを前記第2のセルに報告するためにさらに使用される請求項11に記載の端末。
【発明の詳細な説明】
【技術分野】
【０００１】
本発明は、ワイヤレス通信技術に関し、特に、端末、および端末のアクセス失敗後の処理方法に関する。
【背景技術】
【０００２】
ドライブテストの最小化(Minimization of Drive Tests、MDT)は、即時式MDT(immediate MDT)および記録式MDT(logged MDT)に分類される。logged MDTソリューションにおいては、無線リソース制御(Radio Resource Control、RRC)が接続状態にあるときに、ネットワーク側がユーザ機器(User Equipment、UE)でMDTの構成を行い、UEがアイドル(idle)状態になるときに、UEがMDTの測定および記録を行い、UEが接続状態になるときに、記録されたMDT測定結果をネットワーク側に報告する。報告プロセスは、通常、以下のようになる。第1に、UEが、MDT logデータを記録したことを示すために指示情報をネットワーク側に報告する。第2に、ネットワーク側が、MDT logデータを報告するようにUEをトリガする必要があるときに、UEに要求メッセージを送信する。最後に、要求メッセージを受信した後、UEが、記録されたMDT logデータをネットワーク側に報告する。
【０００３】
UEは、公衆陸上モバイルネットワーク(Public Land Mobile Network、PLMN)を超えるとき、上述の指示情報を報告するか、またはMDT logデータを報告する前に、現在の登録PLMN(Registration PLMN、RPLMN)がMDT PLMNと同じであるかどうかを判定する必要がある。MDT PLMNとは、MDTが構成されるときのUEのRPLMNであり、現在の登録PLMNがMDT PLMNと同じであるときにのみ、上記報告が行われ得る。
【０００４】
別のシナリオでは、無線リンク障害(Radio Link Failure、RLF)またはハンドオーバの失敗(Handover Failure、HOF)がUEで起こるときに、UEがRLFまたはHOFレポートを記録し、RLFまたはHOFが起こるときにRPLMNを記録する。このシナリオでは、UEの報告プロセスは、通常、以下のようになる。第1に、UEが、RLFまたはHOFレポートを記録したことを示すために指示情報をネットワーク側に報告する。第2に、ネットワーク側が、RLFまたはHOFレポートを報告するようにUEをトリガする必要があるときに、UEに要求メッセージを送信する。最後に、要求メッセージを受信した後、UEが、記録されたRLFまたはHOFレポートをネットワーク側に報告する。logged MDTのシナリオと同様に、指示情報を報告するかまたはレポートを送る前に、UEは、現在のRPLMNがRLFまたはHOFの発生が記録されるときのRPLMNと同じであるかどうかを判定する必要がある。それらのRPLMNが同じであるときにのみ、上記報告が行われ得る。
【０００５】
以上の説明から分かるように、従来技術においてUEによって記録されるのはRPLMNであるが、UEがPLMNへのアクセスに失敗するときは、記録されるのがやはりRPLMNである場合、記録エラーまたは報告エラーが起こる。例えば、UEが初めにPLMN1のセルにキャンプオンし、RPLMN=PLMN1であると仮定すると、UEは、PLMN1からPLMN2に移動した後、PLMN2のセルとのRRC接続を確立しようとする。このとき、RRC接続が確立されることに失敗すると、UEは、PLMN2にアクセスすることができない。このとき、UEはPLMN2にアクセスできないので、UEのRPLMNは更新され得ず、PLMN1のままである。失敗が発生したときにUEが引き続きそのRPLMNを記録する場合、PLMN1がアクセスに失敗したPLMNとして記録され、アクセスの失敗を記録するレポートが、やはりPLMN1に報告される。明らかに、記録エラーが発生し、誤ったPLMNのセルに報告がなされる。
【発明の概要】
【発明が解決しようとする課題】
【０００６】
したがって、本発明の実施形態は、従来技術においてRPLMNの記録によって通常引き起こされる記録エラーの問題を解決するために、端末、および端末のアクセス失敗後の処理方法を提供する。
【課題を解決するための手段】
【０００７】
一態様において、端末のアクセス失敗後の処理方法が提供され、方法は、
端末によって、第1のセルとのRRC接続を確立するステップであって、第1のセルが、端末によって選択されたPLMNを含むセルである、ステップと、
端末が第1のセルとのRRC接続を確立することに失敗するとき、アクセス失敗PLMNリスト(access failure PLMN list)を記録するステップであって、アクセス失敗PLMNリストが、端末によって選択されたPLMNを含む、ステップとを含む。
【０００８】
可能な実装方法では、
アクセス失敗PLMNリストは、
端末によって選択されたPLMNに対応する第1のEPLMNであって、RRC接続が確立されることに失敗する前に端末によって選択されたPLMNのEPLMNである、第1のEPLMN、または
端末によって選択されたPLMNに対応する第2のEPLMNであって、端末が第1のセルに再び正常にアクセスした後にEPLMNの更新を経る端末によって選択されたPLMNのEPLMNである、第2のEPLMNをさらに含む。
【０００９】
別の可能な実装方法では、
アクセス失敗PLMNリストは、端末によって選択されたPLMNだけを含み、方法は、端末によって、指示情報を取得するステップであって、指示情報が、端末によって選択されたPLMNがアクセスの失敗が発生するときに記録されることを示すために使用される、ステップをさらに含み、
アクセス失敗PLMNリストを記録するステップは、指示情報にしたがって、端末によって選択されたPLMNをアクセス失敗PLMNリストに記録するステップを含む。
【００１０】
別の可能な実装方法では、
方法は、
端末によって、記録されたアクセス失敗PLMNリストが端末が第2のセルにアクセスするときの端末のRPLMNを含むかどうかを判定し、含む場合に、記録されたデータが利用可能であることを示す指示情報、もしくは記録レポート(logging report)を第2のセルに報告するステップ、または
端末によって、記録されたアクセス失敗PLMNリストが第2のセルのPPLMNの識別子を含むかどうかを判定し、含む場合に、記録されたデータが利用可能であることを示す指示情報、もしくは記録レポートを第2のセルに報告するステップ、または
端末によって、記録されたアクセス失敗PLMNリストが第2のセルによってブロードキャストされたPLMNリストのいずれかの項目と同じであるかどうかを判定し、同じである場合に、記録されたデータが利用可能であることを示す指示情報、もしくは記録レポートを第2のセルに報告するステップをさらに含む。
【００１１】
第2のセルは、端末がRRC接続を確立したセル、または端末がハンドオーバされたセルである。
【００１２】
別の態様において、端末が提供され、端末は、
第1のセルとのRRC接続を確立するように構成された確立モジュールであって、第1のセルが、端末によって選択されたPLMNを含むセルである、確立モジュールと、
第1のセルとのRRC接続が確立されることに失敗するときにアクセス失敗PLMNリストを記録するように構成された記録モジュールであって、アクセス失敗PLMNリストが、端末によって選択されたPLMNを含む、記録モジュールとを含む。
【００１３】
可能な実装方法では、
記録モジュールによって記録されるアクセス失敗リストは、
端末によって選択されたPLMNに対応する第1のEPLMNであって、RRC接続が確立されることに失敗する前に端末によって選択されたPLMNのEPLMNである、第1のEPLMN、または
端末によって選択されたPLMNに対応する第2のEPLMNであって、端末が第1のセルに再び正常にアクセスした後にEPLMNの更新を経る端末によって選択されたPLMNのEPLMNである、第2のEPLMNをさらに含む。
【００１４】
別の可能な実装方法では、
アクセス失敗PLMNリストは、端末によって選択されたPLMNだけを含み、端末は、指示情報を取得するように構成された取得モジュールであって、指示情報が、端末によって選択されたPLMNがアクセスの失敗が発生するときに記録されることを示すために使用される、取得モジュールをさらに含み、
記録モジュールは、指示情報にしたがって、端末によって選択されたPLMNをアクセス失敗PLMNリストに記録するように特に構成される。
【００１５】
別の可能な実装方法では、
端末は、
記録されたアクセス失敗PLMNリストが端末が第2のセルにアクセスするときの端末のRPLMNを含むかどうかを判定し、含む場合に、記録されたデータが利用可能であることを示す指示情報、もしくは記録レポートを第2のセルに報告するか、または記録されたアクセス失敗PLMNリストが第2のセルのPPLMNの識別子を含むかどうかを判定し、含む場合に、記録されたデータが利用可能であることを示す指示情報、もしくは記録レポートを第2のセルに報告するか、または記録されたアクセス失敗PLMNリストが第2のセルによってブロードキャストされたPLMNリストのいずれかの項目と同じであるかどうかを判定し、同じである場合に、記録されたデータが利用可能であることを示す指示情報、もしくは記録レポートを第2のセルに報告するように構成された報告モジュールをさらに含む。
【００１６】
第2のセルは、端末がRRC接続を確立したセル、または端末がハンドオーバされたセルである。
【００１７】
別の態様において、端末が提供され、端末は、
第1のセルとのRRC接続を確立し、第1のセルとのRRC接続を確立することに失敗するとき、アクセス失敗PLMNリストを記録するように構成されたプロセッサであって、アクセス失敗PLMNリストが、端末によって選択されたPLMNを含み、第1のセルが、端末によって選択されたPLMNを含むセルである、プロセッサと、
アクセス失敗PLMNリストを記録するように構成されたメモリとを含む。
【００１８】
可能な実装方法では、
プロセッサによって記録されるアクセス失敗PLMNリストは、
端末によって選択されたPLMNに対応する第1のEPLMNであって、RRC接続が確立されることに失敗する前に端末によって選択されたPLMNのEPLMNである、第1のEPLMN、または
端末によって選択されたPLMNに対応する第2のEPLMNであって、端末が第1のセルに再び正常にアクセスした後にEPLMNの更新を経る端末によって選択されたPLMNのEPLMNである、第2のEPLMNをさらに含む。
【００１９】
別の可能な実装方法では、
アクセス失敗PLMNリストは、端末によって選択されたPLMNだけを含み、端末は、
指示情報を受信するように構成されたワイヤレストランシーバであって、指示情報が、端末によって選択されたPLMNがアクセスの失敗が発生するときに記録されることを示すために使用される、ワイヤレストランシーバをさらに含み、
プロセッサは、第1のセルとのRRC接続を確立し、第1のセルとのRRC接続を確立することに失敗するときに、指示情報にしたがって、端末によって選択されたPLMNをアクセス失敗PLMNリストに記録するように特に構成される。
【００２０】
別の可能な実装方法では、
プロセッサは、記録されたアクセス失敗PLMNリストが端末が第2のセルにアクセスするときの端末のRPLMNを含むかどうかを判定するようにさらに構成され、プロセッサによって取得された判定結果が真であるとき、ワイヤレストランシーバが、記録されたデータが利用可能であることを示す指示情報、もしくは記録レポートを第2のセルに報告するためにさらに使用され、または
プロセッサは、記録されたアクセス失敗PLMNリストが第2のセルのPPLMNの識別子を含むかどうかを判定するようにさらに構成され、プロセッサによって取得された判定結果が真であるとき、ワイヤレストランシーバが、記録されたデータが利用可能であることを示す指示情報、もしくは記録レポートを第2のセルに報告するためにさらに使用され、または
プロセッサは、記録されたアクセス失敗PLMNリストが第2のセルによってブロードキャストされたPLMNリストのいずれかの項目と同じであるかどうかを判定するようにさらに構成され、プロセッサによって取得された判定結果が真であるとき、ワイヤレストランシーバが、記録されたデータが利用可能であることを示す指示情報、もしくは記録レポートを第2のセルに報告するためにさらに使用される。
【００２１】
上述の技術的な解決策によれば、この実施形態においては、端末が端末によって選択されたPLMNを含むセルとのRRC接続を確立することに失敗した後、つまり、端末が選択されたPLMNを含むセルへのアクセスに失敗した後、選択されたPLMNがアクセス失敗PLMNリストに記録される。このようにして、アクセス失敗PLMNリストがUEがアクセスを行うことに失敗したときのRPLMNではなく選択されたPLMNを含むことが実現される可能性がある。それによって、アクセスの失敗が発生するときに選択されたPLMNが記録されたRPLMNと一貫性がないことによってもたらされる記録エラーまたは報告エラーなどの問題を回避し、記録の正確性と、ひいては正しいPLMNのセルへの報告とを実現する。
【００２２】
本発明の実施形態による技術的な解決策をより明瞭に示すために、それらの実施形態を説明するための添付の図面が、以下で簡単に紹介される。明らかに、以下の説明の添付の図面は、本発明の一部の実施形態であるに過ぎず、当業者は、創造的な努力なしに添付の図面からその他の図面を導き出すことができる。
【図面の簡単な説明】
【００２３】
【図１】本発明による端末のアクセス失敗後の処理方法の実施形態の概略的なフローチャートである。
【図２】本発明によるUEの移動の概略図である。
【図３】本発明による端末のアクセス失敗後の処理方法の別の実施形態の概略的なフローチャートである。
【図４】本発明による端末のアクセス失敗後の処理方法の別の実施形態の概略的なフローチャートである。
【図５】本発明による端末のアクセス失敗後の処理方法の別の実施形態の概略的なフローチャートである。
【図６】本発明による端末のアクセス失敗後の処理方法の別の実施形態の概略的なフローチャートである。
【図７】本発明による端末のアクセス失敗後の処理方法の別の実施形態の概略的なフローチャートである。
【図８】本発明による端末のアクセス失敗後の処理方法の別の実施形態の概略的なフローチャートである。
【図９】本発明による端末の実施形態の概略的な構造図である。
【図１０】本発明による端末の別の実施形態の概略的な構造図である。
【発明を実施するための形態】
【００２４】
本発明の目的、技術的な解決策、および利点をより理解しやすくするために、本発明の実施形態による技術的な解決策が、添付の図面を参照して以下で明瞭かつ完全に説明される。明らかに、以下の説明にある実施形態は、本発明の実施形態のすべてではなく一部であるに過ぎない。創造的な努力なしに本発明の実施形態に基づいて当業者によって得られたすべてのその他の実施形態は、本発明の保護範囲内に入る。
【００２５】
図1は、本発明による端末のアクセス失敗後の処理方法の実施形態の概略的なフローチャートであり、フローチャートは以下を含む。
【００２６】
ステップ11:端末が、第1のセルとのRRC接続を確立し、第1のセルは、端末によって選択されたPLMNを含むセルである。
【００２７】
異なるシステムにおいて、端末は異なる名前を有する可能性があり、例えば、端末は、UE、移動局(Mobile Station、MS)などである。本発明のこの実施形態において、端末は、例えば、UEである。
【００２８】
PLMN間の移動後、UEは、新しいPLMNを再選択し、PLMNのセルにアクセスするためにPLMNを含むセルとのRRC接続を開始する可能性がある。
【００２９】
ステップ12:第1のセルとのRRC接続を確立することに失敗するとき、端末が、アクセス失敗PLMNリストを記録し、アクセス失敗PLMNリストは、端末によって選択されたPLMNを含む。
【００３０】
本発明の実施形態において、アクセス失敗PLMNリストは、1つのPLMNだけを含むか、または少なくとも2つのPLMNを含む可能性がある。1つのPLMNだけが含まれるとき、アクセス失敗PLMNリストは、アクセス失敗PLMNと呼ばれる可能性もある。
【００３１】
従来技術においては、RRC接続が確立されることに失敗した後、記録されるアクセス失敗PLMNは、UEがRRC接続を確立することに失敗するときのRPLMNである。従来技術とは異なり、本発明の実施形態においては、アクセス失敗PLMNは、UEがRRC接続を確立することに失敗するときに選択されたPLMNである。
【００３２】
加えて、複数のPLMNがネットワークセルを共有するとき、1つのPLMNは、プライマリPLMN(Primary PLMN、PPLMN)として指定される可能性があり、その他のPLMNは、セカンダリPLMNである。共有されたネットワークにおいては、ネットワークを最適化するために、保守および最適化は、主としてPPLMNの運用者によって実行される。したがって、アクセス失敗のレポートはPPLMNのネットワークに送られる可能性があり、さらに、UEはRRC接続が確立されることに失敗するときのPPLMNを記録する可能性がある。
【００３３】
図2を参照して、UEが、PLMN1およびPLMN2の共有されたネットワークセルから、PLMN3およびPLMN4の共有されたネットワークセルに移動し、PLMN4を選択し、PLMN4の下でセルにキャンプオンすることを選択し、PLMN3が、UEがキャンプオンすることを選択するPLMN3およびPLMN4の共有されたセルのPPLMNであるものと仮定する。UEが、PLMN1およびPLMN2の共有されたネットワークセルにキャンプオンするとき、RPLMN=PLMN1である。
【００３４】
UEがPLMN3およびPLMN4の共有されたネットワークセルとのRRC接続を確立することに失敗するとき、図2に示されたシステムを例にとると、記録されるアクセス失敗PLMNリストは、以下を含む可能性がある。
【００３５】
図3を参照すると、図3は、本発明による端末のアクセス失敗後の処理方法の別の実施形態の概略的なフローチャートである。この実施形態において、記録されるアクセス失敗PLMNリストは、UEによって選択されたPLMNだけを含む。この実施形態は、以下を含む。
【００３６】
ステップ31:UEが、PLMN4を選択し、PLMN4を含むセルとのRRC接続を確立する。
【００３７】
ステップ32:RRC接続を確立することに失敗するとき、UEが、アクセス失敗PLMNリストにPLMN4を記録する。
【００３８】
このとき、アクセス失敗PLMNは、UEによって選択されたPLMNと呼ばれる可能性もある。
【００３９】
図4を参照すると、図4は、本発明による端末のアクセス失敗後の処理方法の別の実施形態の概略的なフローチャートである。この実施形態において、記録されるアクセス失敗PLMNリストは、1つのPLMNだけを含む。PLMNは、端末がアクセスすることに失敗するセルのPPLMNである。この実施形態は、以下を含む。
【００４０】
ステップ41:UEが、PLMN4を選択し、PLMN4を含むセルとのRRC接続を確立し、セルは、PLMN3およびPLMN4の共有されたセルであり、PLMN3が、共有されたセルのPPLMNである。
【００４１】
ステップ42:RRC接続を確立することに失敗するとき、UEが、アクセス失敗PLMNリストにPLMN3を記録する。
【００４２】
このとき、アクセス失敗PLMNは、アクセス失敗セルのPPLMNと呼ばれる可能性もある。
【００４３】
図5を参照すると、図5は、本発明による端末のアクセス失敗後の処理方法の別の実施形態の概略的なフローチャートである。この実施形態において、記録されるアクセス失敗PLMNリストは、端末によって選択されたPLMNと、端末によって選択されたPLMNに対応する第1のEPLMNとを含む。第1のEPLMNは、RRC接続が確立されることに失敗する前に端末によって選択されたPLMNのEPLMNである。この実施形態は、以下を含む。
【００４４】
ステップ51:UEが、PLMN4を選択し、PLMN4を含むセルとのRRC接続を確立する。
【００４５】
加えて、UEがPLMN1およびPLMN2の共有されたネットワークセルにキャンプオンするときのEPLMNリスト(EPLMN list)はPLMN1、PLMN2、およびPLMN4を含むものと仮定する。
【００４６】
ステップ52:RRC接続を確立することに失敗するとき、UEが、アクセス失敗PLMNリストにPLMN4、PLMN1、およびPLMN2を記録する。
【００４７】
図6を参照すると、図6は、本発明による端末のアクセス失敗後の処理方法の別の実施形態の概略的なフローチャートである。この実施形態において、記録されるアクセス失敗PLMNリストは、端末によって選択されたPLMNと、端末によって選択されたPLMNに対応する第2のEPLMNとを含む。第2のEPLMNは、端末が第1のセルに再び正常にアクセスした後にEPLMNの更新を経る端末によって選択されたPLMNのEPLMNである。この実施形態は、以下を含む。
【００４８】
ステップ61:UEが、PLMN4を選択し、PLMN4を含むセルとのRRC接続を確立する。
【００４９】
加えて、UEがPLMN1およびPLMN2の共有されたネットワークセルにキャンプオンするときのEPLMNリストはPLMN1およびPLMN2を含むものと仮定する。
【００５０】
ステップ62:RRC接続を確立することに失敗するとき、UEが、アクセス失敗PLMNリストにPLMN4を記録する。
【００５１】
ステップ63:UEがPLMN4を含むセルに再び正常にアクセスした後、EPLMNリストがPLMN3およびPLMN4に更新され、PLMN3もアクセス失敗PLMNリストに記録される。つまり、アクセス失敗PLMNリストはPLMN3およびPLMN4を含む。
【００５２】
この実施形態においては、端末が端末によって選択されたPLMNを含むセルとのRRC接続を確立することに失敗した後、つまり、端末が選択されたPLMNを含むセルへのアクセスに失敗した後、選択されたPLMNがアクセス失敗PLMNリストに記録される。このようにして、アクセス失敗PLMNリストがUEがアクセスを行うことに失敗したときのRPLMNではなく選択されたPLMNを含むことが実現される可能性がある。それによって、アクセスの失敗が発生するときに選択されたPLMNが記録されたRPLMNと一貫性がないことによってもたらされる記録エラーまたは報告エラーなどの問題を回避し、記録の正確性と、ひいては正しいPLMNのセルへの報告とを実現する。
【００５３】
特に、何が記録されるのかが、事前に定義される可能性がある。特に、アクセス失敗PLMNが、選択されたPLMNまたはアクセス失敗セルのPPLMNであるシナリオにおいて、本発明の実施形態では、選択されたPLMNが記録されるか、もしくはアクセス失敗セルのPPLMNが記録されると事前に定義される可能性があり、または指示情報にしたがって、アクセス失敗PLMNがUEによって選択されたPLMNまたはアクセス失敗セルのPPLMNとして記録される可能性がある。
【００５４】
図7を参照すると、図7は、本発明による端末のアクセス失敗後の処理方法の別の実施形態の概略的なフローチャートであり、フローチャートは以下を含む。
【００５５】
ステップ71:ネットワーク側が、UEに指示情報を送信し、指示情報は、選択されたPLMNまたはアクセス失敗セルを含むPPLMNがアクセスの失敗が発生するときに記録されることを示すために使用される。
【００５６】
ステップ72:UEによって選択されたPLMNを含むセルとのRRC接続を確立することに失敗した後、UEが、指示情報にしたがって、選択されたPLMNまたはアクセス失敗セルのPPLMNをアクセス失敗PLMNとして記録する。
【００５７】
指示情報は、ブロードキャストメッセージに含まれる可能性があり、1ビットである可能性があり、アクセスの失敗が発生するときに選択されたPLMNが記録されるのか、またはPPLMNが記録されるのかを示す。例えば、指示情報=1であるときは、アクセスの失敗が発生するときに選択されたPLMNが記録され、特に、例えば、PLMN4が記録される。指示情報=0であるときは、PPLMNが記録され、特に、例えば、PLMN3が記録される。
【００５８】
この実施形態は、指示情報がネットワーク側からUEに送信される例を通じて説明される。任意で、UEによって指示情報を取得することは、UEによって、事前に定義された方法にしたがって指示情報を取得することを含む可能性があり、例えば、選択されたPLMNまたはアクセス失敗セルのPPLMNが記録されることが、事前に定義される。
【００５９】
この実施形態においては、異なる記録が、指示情報にしたがって柔軟に実現される可能性があり、それによって、応用の多様性を高める。
【００６０】
アクセス失敗PLMNリストが記録された後、対応する報告が、それに応じて実行され得る。
【００６１】
図8は、本発明による端末のアクセス失敗後の処理方法の別の実施形態の概略的なフローチャートであり、フローチャートは以下を含む。
【００６２】
ステップ81:UEが、アクセス失敗PLMNリストを記録する。
【００６３】
上記の実施形態で説明されたように、アクセス失敗PLMNリストは、
選択されたPLMNもしくはアクセス失敗セルのPPLMN、または
選択されたPLMN、および選択されたPLMNに対応する第1のEPLMNであって、RRC接続が確立されることに失敗する前の選択されたPLMNのEPLMNである、第1のEPLMN、または
選択されたPLMN、および選択されたPLMNに対応する第2のEPLMNであって、端末が第1のセルに再び正常にアクセスした後にEPLMNの更新を経る端末によって選択されたPLMNのEPLMNである、第2のEPLMNを含む可能性がある。
【００６４】
ステップ82:記録されたアクセス失敗PLMNリストが第2のセルに一致するとき、UEは、記録されたデータが利用可能であることを示す指示情報、または記録レポートを第2のセルに送信し、第2のセルは、端末とのRRC接続を確立したセル、または端末がハンドオーバされたセルである。
【００６５】
第2のセルは、第1のセルと同じであるか、または異なる可能性がある。
【００６６】
例えば、logged MDTのシナリオでは、UEがMDT logデータが利用可能であることを示す指示情報を送信する前、またはUEがネットワーク側から要求メッセージを受信した後にネットワーク側に記録されたMDT logデータを送信する前に、まず、一致に関する上記の判定が実行される。一致すると判定されるときにのみ、MDT logデータが利用可能であることを示す上記の指示情報または記録されたMDT logデータが、送信される。
【００６７】
別の例として、RLFまたはHOFのシナリオでは、UEがRLFもしくはHOF記録レポートが利用可能であることを示す指示情報を送信する前、またはUEがネットワーク側の要求メッセージを受信した後にネットワーク側にRLFもしくはHOF記録レポートを送信する前に、まず、一致に関する上記の判定が実行される。一致すると判定されるとき、RLFもしくはHOF記録レポートが利用可能であることを示す上記の指示情報またはRLFもしくはHOF記録レポートが、送信される。
【００６８】
logged MDTのシナリオであるか、またはRLFもしくはHOFのシナリオであるかに関わらず、以下の方法が、一致に関する判定を行うために使用され得る。
【００６９】
記録されたアクセス失敗PLMNリストがUEが第2のセルにアクセスするときのUEのRPLMNを含むかどうかが判定され、含む場合は一致すると判定され、そうでない場合は一致しないと判定される。
【００７０】
例えば、記録されたアクセス失敗PLMNリストがPLMN4を含む場合、UEのRPLMNがUEが第2のセルにアクセスするときにPLMN4であるとき、一致すると判定される。
【００７１】
または、
記録されたアクセス失敗PLMNリストが第2のセルのPPLMNを含むかどうかが判定され、含む場合は一致すると判定され、そうでない場合は一致しないと判定される。
【００７２】
例えば、記録されたアクセス失敗PLMNリストがPLMN3を含む場合、第2のセルのPPLMNがPLMN3であるとき、一致すると判定される。
【００７３】
または、
記録されたアクセス失敗PLMNリストが第2のセルによってブロードキャストされたPLMNリストのいずれかの項目と同じであるかどうかが判定され、同じである場合は一致すると判定され、そうでない場合は一致しないと判定される。
【００７４】
例えば、記録されたアクセス失敗PLMNリストがPLMN4を含む場合、現在アクセスされている第2のセルによってブロードキャストされたPLMNリストがPLMN3およびPLMN4を含むとき、一致すると判定される。
【００７５】
上述の判定プロセス中に、UEは、セルにキャンプオンするとき、セルによってブロードキャストされたPLMNリストを受信する可能性があり、通常、PLMNリスト内の第1のPLMNはPPLMNである。したがって、UEは、記録されたアクセス失敗PLMNリストとブロードキャストされたPLMNリストとを比較して上述の判定を実行する可能性がある。または、セルに正常にアクセスした後、UEは、セルが置かれているPLMNを取得する可能性があり、RPLMNを現在アクセスされているセルのRPLMNで更新する可能性があり、次いで、現在アクセスされているセルのRPLMNを記録されたアクセス失敗PLMNリストと比較して上述の対応する判定を実行する。
【００７６】
この実施形態によるUEは、記録が正しいPLMNのセルに送信されることを保証するために、報告の前に上記判定を実行する。
【００７７】
図9は、本発明による端末の実施形態の概略的な構造図である。端末は、上述の方法を実行するデバイスである可能性があり、確立モジュール91と、記録モジュール92とを含む。確立モジュール91は、第1のセルとのRRC接続を確立するように構成され、第1のセルは、端末によって選択されたPLMNを含むセルである。記録モジュール92は、第1のセルとのRRC接続が確立されることに失敗するときにアクセス失敗PLMNリストを記録するように構成され、アクセス失敗PLMNリストは、端末によって選択されたPLMNを含む。
【００７８】
任意で、
記録モジュールによって記録されるアクセス失敗リストは、
端末によって選択されたPLMNに対応する第1のEPLMNであって、RRC接続が確立されることに失敗する前に端末によって選択されたPLMNのEPLMNである、第1のEPLMN、または
端末によって選択されたPLMNに対応する第2のEPLMNであって、端末が第1のセルに再び正常にアクセスした後にEPLMNの更新を経る端末によって選択されたPLMNのEPLMNである、第2のEPLMNをさらに含む。
【００７９】
任意で、
アクセス失敗PLMNリストは、端末によって選択されたPLMNだけを含み、
端末は、指示情報を取得するように構成された取得モジュールをさらに含み、指示情報は、端末によって選択されたPLMNがアクセスの失敗が発生するときに記録されることを示すために使用され、記録モジュールは、指示情報にしたがって、端末によって選択されたPLMNをアクセス失敗PLMNリストに記録するように特に構成される。
【００８０】
任意で、端末は、
記録されたアクセス失敗PLMNリストが端末が第2のセルにアクセスするときの端末のRPLMNを含むかどうかを判定し、含む場合に、記録されたデータが利用可能であることを示す指示情報、もしくは記録レポートを第2のセルに報告するか、または記録されたアクセス失敗PLMNリストが第2のセルのPPLMNの識別子を含むかどうかを判定し、含む場合に、記録されたデータが利用可能であることを示す指示情報、もしくは記録レポートを第2のセルに報告するか、または記録されたアクセス失敗PLMNリストが第2のセルによってブロードキャストされたPLMNリストのいずれかの項目と同じであるかどうかを判定し、同じである場合に、記録されたデータが利用可能であることを示す指示情報、もしくは記録レポートを第2のセルに報告するように構成された報告モジュールをさらに含む。
【００８１】
第2のセルは、端末がRRC接続を確立したセル、または端末がハンドオーバされたセルである。
【００８２】
この実施形態においては、端末が端末によって選択されたPLMNを含むセルとのRRC接続を確立することに失敗した後、つまり、端末が選択されたPLMNを含むセルへのアクセスに失敗した後、選択されたPLMNがアクセス失敗PLMNリストに記録される。このようにして、アクセス失敗PLMNリストがUEがアクセスを行うことに失敗したときのRPLMNではなく選択されたPLMNを含むことが実現される可能性がある。それによって、アクセスの失敗が発生するときに選択されたPLMNが記録されたRPLMNと一貫性がないことによってもたらされる記録エラーまたは報告エラーなどの問題を回避し、記録の正確性と、ひいては正しいPLMNのセルへの報告とを実現する。
【００８３】
図10は、本発明による端末の別の実施形態の概略的な構造図である。端末100は、プロセッサ101と、メモリ102とを含む。プロセッサ101は、第1のセルとのRRC接続を確立し、第1のセルとのRRC接続を確立することに失敗するとき、アクセス失敗PLMNリストを記録するように構成され、アクセス失敗PLMNリストは、端末によって選択されたPLMNを含み、第1のセルは、端末によって選択されたPLMNを含むセルである。メモリ102は、アクセス失敗PLMNリストを記録するように構成される。
【００８４】
任意で、プロセッサによって記録されるアクセス失敗PLMNリストは、
端末によって選択されたPLMNに対応する第1のEPLMNであって、RRC接続が確立されることに失敗する前に端末によって選択されたPLMNのEPLMNである、第1のEPLMN、または
端末によって選択されたPLMNに対応する第2のEPLMNであって、端末が第1のセルに再び正常にアクセスした後にEPLMNの更新を経る端末によって選択されたPLMNのEPLMNである、第2のEPLMNをさらに含む。
【００８５】
任意で、アクセス失敗PLMNリストは、端末によって選択されたPLMNだけを含み、端末は、
指示情報を受信するように構成されたワイヤレストランシーバ103をさらに含み、指示情報は、端末によって選択されたPLMNがアクセスの失敗が発生するときに記録されることを示すために使用される。
【００８６】
プロセッサは、第1のセルとのRRC接続を確立し、第1のセルとのRRC接続を確立することに失敗するときに、指示情報にしたがって、端末によって選択されたPLMNをアクセス失敗PLMNリストに記録するように特に構成され、指示情報は、ワイヤレストランシーバによって受信されるか、または事前に定義されたように取得される可能性がある。
【００８７】
任意で、
プロセッサは、記録されたアクセス失敗PLMNリストが端末が第2のセルにアクセスするときの端末のRPLMNを含むかどうかを判定するようにさらに構成され、プロセッサによって取得された判定結果が真であるとき、ワイヤレストランシーバは、記録されたデータが利用可能であることを示す指示情報、もしくは記録レポートを第2のセルに報告するためにさらに使用され、または
プロセッサは、記録されたアクセス失敗PLMNリストが第2のセルのPPLMNの識別子を含むかどうかを判定するようにさらに構成され、プロセッサによって取得された判定結果が真であるとき、ワイヤレストランシーバは、記録されたデータが利用可能であることを示す指示情報、もしくは記録レポートを第2のセルに報告するためにさらに使用され、または
プロセッサは、記録されたアクセス失敗PLMNリストが第2のセルによってブロードキャストされたPLMNリストのいずれかの項目と同じであるかどうかを判定するようにさらに構成され、プロセッサによって取得された判定結果が真であるとき、ワイヤレストランシーバは、記録されたデータが利用可能であることを示す指示情報、もしくは記録レポートを第2のセルに報告するためにさらに使用される。
【００８８】
ワイヤレストランシーバは、1つまたは複数のアンテナ104を通じて無線信号を受信および送信することができる。プロセッサは、論理集積回路によって実装される可能性がある。
【００８９】
この実施形態においては、端末が端末によって選択されたPLMNを含むセルとのRRC接続を確立することに失敗した後、つまり、端末が選択されたPLMNを含むセルへのアクセスに失敗した後、選択されたPLMNがアクセス失敗PLMNリストに記録される。このようにして、アクセス失敗PLMNリストがUEがアクセスを行うことに失敗したときのRPLMNではなく選択されたPLMNを含むことが実現される可能性がある。それによって、アクセスの失敗が発生するときに選択されたPLMNが記録されたRPLMNと一貫性がないことによってもたらされる記録エラーまたは報告エラーなどの問題を回避し、記録の正確性と、ひいては正しいPLMNのセルへの報告とを実現する。
【００９０】
当業者は、本発明のそれぞれの実施形態による方法のステップのすべてまたは一部が、関連するハードウェアに指示を与えるプログラムによって実装され得ることを理解するはずである。プログラムは、コンピュータ可読記録媒体に記憶され得る。プログラムは、実行されるとき、上述のそれぞれの実施形態による方法のステップを実行する。記録媒体は、ROM、RAM、磁気ディスク、または光ディスクなどの、プログラムコードを記憶することができる任意の媒体である可能性がある。
【００９１】
最後に、上述の実施形態は、本発明の技術的な解決策を説明するために提供されているに過ぎず、本発明を限定するように意図されていないことに留意されたい。本発明が実施形態を参照して詳細に説明されたが、修正または置き換えが対応する技術的な解決策の本質を本発明の技術的な解決策の範囲から逸脱させない限り、そのような修正が、実施形態で説明された技術的な解決策に対してなされる可能性があり、または均等な置き換えが、技術的な解決策の技術的特徴の一部もしくはすべてに対してなされる可能性があることは当業者によって理解されるに違いない。
【符号の説明】
【００９２】
91  確立モジュール
92  記録モジュール
100  端末
101  プロセッサ
102  メモリ
103  ワイヤレストランシーバ
104  アンテナ
【図１】
2015502124.tif 000003
【図２】
2015502124.tif 000004
【図３】
2015502124.tif 000005
【図４】
2015502124.tif 000006
【図５】
2015502124.tif 000007
【図６】
2015502124.tif 000008
【図７】
2015502124.tif 000009
【図８】
2015502124.tif 000010
【図９】
2015502124.tif 000011
【図１０】
2015502124.tif 000012
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
端末のアクセス失敗後の処理方法であって、
端末によって、第1のセルとの無線リソース制御(RRC)接続を確立するステップであって、前記第1のセルが、前記端末によって選択された公衆陸上モバイルネットワーク(PLMN)を含むセルである、ステップと、
前記端末が前記第1のセルとの前記RRC接続を確立することに失敗するとき、前記端末によって、前記端末によって選択された前記PLMNを記録するステップとを含む、方法。
【請求項２】
前記端末によって、前記端末によって選択された前記PLMNが前記端末が第2のセルにアクセスするときの前記端末の登録公衆陸上モバイルネットワーク(RPLMN)に等しいかどうかを判定するステップと、
等しい場合に、前記端末によって、記録されたデータが利用可能であることを示す指示情報、もしくは失敗したRRC接続の確立を示す記録レポートを前記第2のセルに報告するステップとをさらに含み、
前記第2のセルが、前記端末がRRC接続を確立したセル、または前記端末がハンドオーバされたセルである請求項1に記載の方法。
【請求項３】
前記端末によって選択された前記PLMNが、アクセス失敗PLMNリストに含まれる請求項1または2に記載の方法。
【請求項４】
前記アクセス失敗PLMNリストが、
前記端末によって選択された前記PLMNに対応する第1の等価公衆陸上モバイルネットワーク(EPLMN)であって、前記RRC接続が確立されることに失敗する前に前記端末によって選択された前記PLMNのEPLMNである、第1のEPLMN、または
前記端末によって選択された前記PLMNに対応する第2のEPLMNであって、前記端末が前記第1のセルに再び正常にアクセスした後にEPLMNの更新を経る前記端末によって選択された前記PLMNのEPLMNである、第2のEPLMNをさらに含む請求項3に記載の方法。
【請求項５】
前記アクセス失敗PLMNリストが、前記端末によって選択された前記PLMNだけを含み、前記方法が、前記端末によって、指示情報を取得するステップであって、前記指示情報が、前記端末によって選択された前記PLMNがアクセスの失敗が発生するときに記録されることを示すために使用される、ステップをさらに含み、
前記端末によって、前記端末によって選択された前記PLMNを記録する前記ステップが、前記端末によって、前記指示情報にしたがって、前記端末によって選択された前記PLMNを前記アクセス失敗PLMNリストに記録するステップを含む請求項3に記載の方法。
【請求項６】
プロセッサとメモリとを含み、
前記プロセッサが、端末によって選択された公衆陸上モバイルネットワーク(PLMN)を含む第1のセルとの無線リソース制御(RRC)接続を確立し、端末が前記第1のセルとの前記RRC接続を確立することに失敗するとき、端末によって選択された前記PLMNを記録するように構成される端末。
【請求項７】
ワイヤレストランシーバをさらに含み、
前記プロセッサが、前記端末によって選択された前記PLMNが前記端末が第2のセルにアクセスするときの前記端末の登録公衆陸上モバイルネットワーク(RPLMN)に等しいかどうかを判定するようにさらに構成され、
前記プロセッサによって取得された判定結果が真であるとき、前記ワイヤレストランシーバが、記録されたデータが利用可能であることを示す指示情報、もしくは失敗したRRC接続の確立を示す記録レポートを前記第2のセルに報告するように構成され、
前記第2のセルが、前記端末がRRC接続を確立したセル、または前記端末がハンドオーバされたセルである請求項6に記載の端末。
【請求項８】
前記端末によって選択された前記PLMNが、アクセス失敗PLMNリストに含まれる請求項6または7に記載の端末。
【請求項９】
前記プロセッサによって記録される前記アクセス失敗PLMNリストが、
前記端末によって選択された前記PLMNに対応する第1の等価公衆陸上モバイルネットワーク(EPLMN)であって、前記RRC接続が確立されることに失敗する前に前記端末によって選択された前記PLMNのEPLMNである、第1のEPLMN、または
前記端末によって選択された前記PLMNに対応する第2のEPLMNであって、前記端末が前記第1のセルに再び正常にアクセスした後にEPLMNの更新を経る前記端末によって選択された前記PLMNのEPLMNである、第2のEPLMNをさらに含む請求項8に記載の端末。
【請求項１０】
前記アクセス失敗PLMNリストが、前記端末によって選択された前記PLMNだけを含み、前記端末が、
前記端末によって選択された前記PLMNがアクセスの失敗が発生するときに記録されることを示すために使用される指示情報を受信するように構成されたワイヤレストランシーバをさらに含み、
前記プロセッサが、前記第1のセルとの前記RRC接続を確立し、前記端末によって選択された前記PLMNが前記アクセスの失敗が発生するときに記録されることを示すために使用される前記指示情報にしたがって、前記端末が前記第1のセルとの前記RRC接続を確立することに失敗するときに、前記端末によって選択された前記PLMNを前記アクセス失敗PLMNリストに記録するようにさらに構成される請求項8に記載の端末。
【請求項１１】
請求項1から5のいずれかに記載の方法をコンピュータに実行させるプログラムを記録する不揮発性コンピュータ記録媒体。
【国際調査報告】
2015502124.tif 000013
2015502124.tif 000014
2015502124.tif 000015
2015502124.tif 000016